(57)【要約】【課題】興趣を向上できる画像表示装置を提供する。【解決手段】画像表示装置５は、画像を表示する表示手段５１と、表示手段５１を制御する制御手段５４と、他の画像表示装置５に表示させる表示画像に関する表示画像情報を含む送信情報を設定入力させる設定入力手段５２と、他の画像表示装置５に接続し、接続された前記他の画像表示装置５との間で送信情報を送受信する送受信手段５３とを備える。制御手段５４は、送受信手段５３を介して送信情報を送信させる送信制御部５４２Ａと、送受信手段５３を介して受信した送信情報に基づく表示画像を表示手段５１に表示させる表示制御を実施する表示制御部５４５とを備える。【選択図】図１
2009213600.tif 000002
【特許請求の範囲】
【請求項１】
画像を表示する表示手段と、前記表示手段を制御する制御手段とを備えた画像表示装置であって、
他の画像表示装置に表示させる表示画像に関する表示画像情報を含む送信情報を設定入力させる設定入力手段と、
他の画像表示装置に接続し、接続された前記他の画像表示装置との間で前記送信情報を送受信する送受信手段とを備え、
前記制御手段は、
前記送受信手段を介して前記送信情報を送信させる送信制御部と、
前記送受信手段を介して受信した前記送信情報に基づく前記表示画像を前記表示手段に表示させる表示制御を実施する表示制御部とを備える
ことを特徴とする画像表示装置。
【請求項２】
請求項１に記載の画像表示装置において、
前記送受信手段は、他の２つの画像表示装置にそれぞれ接続する第１送受信部および第２送受信部を備え、
前記送信情報は、前記表示画像を表示させる送信先である他の画像表示装置に関する送信先情報を含んで構成され、
前記制御手段は、前記第１送受信部および前記第２送受信部のうち一方の送受信部を介して受信した前記送信先情報に基づいて、送信先が自身の画像表示装置であるか否かを判定する送信先判定部を備え、
前記送信制御部は、前記送信先判定部にて送信先が自身の画像表示装置でないと判定された場合に、前記第１送受信部および前記第２送受信部のうち他方の送受信部を介して前記送信情報を送信させ、
前記表示制御部は、前記送信先判定部にて送信先が自身の画像表示装置であると判定された場合に、前記表示制御を実施する
ことを特徴とする画像表示装置。
【請求項３】
請求項２に記載の画像表示装置において、
前記送信先情報は、自身の画像表示装置から前記送信先の他の画像表示装置までの自身の画像表示装置を除いた接続台数に関する接続台数情報を含んで構成され、
前記送信先判定部は、前記一方の送受信部を介して受信した前記接続台数情報に基づく接続台数から１を減じ、１を減じた前記接続台数が０であるか否かで、送信先が自身の画像表示装置であるか否かを判定する
ことを特徴とする画像表示装置。
【請求項４】
請求項１から請求項３のいずれかに記載の画像表示装置において、
前記送信制御部は、自身の画像表示装置の前記設定入力手段に前記送信情報が設定入力された場合に、送信元である自身の画像表示装置に関する送信元情報を前記送信情報に含めて送信させ、
前記設定入力手段は、前記送信情報の他、他の特定の画像表示装置に関する特定装置情報を設定入力させ、
前記制御手段は、
前記特定装置情報を記憶する特定装置情報記憶部と、
前記送受信手段を介して受信した前記送信元情報と前記特定装置情報とに基づいて、前記送信元が前記特定の画像表示装置である場合に、前記表示制御部による前記表示制御を禁止させる表示制御禁止部とを備える
ことを特徴とする画像表示装置。
【請求項５】
遊技用画像を表示する画像表示装置を備えた遊技機であって、
前記画像表示装置は、請求項１から請求項４のいずれかに記載の画像表示装置を備える
ことを特徴とする遊技機。
【請求項６】
請求項５に記載の遊技機を複数備え、前記複数の遊技機を構成する各画像表示装置が前記送信情報を送受信可能に互いに接続されている
ことを特徴とする遊技システム。
【発明の詳細な説明】
【技術分野】
【０００１】
本発明は、画像表示装置、遊技機、および遊技システムに関する。
【背景技術】
【０００２】
従来、パチンコ機やスロットマシン等の遊技機において、遊技盤に形成された表示窓から液晶パネル等の画像表示装置を露出させ、文字や数字等の絵柄がスクロールするような抽選画像や背景画像等の遊技用画像を画像表示装置に表示させる構成が知られている（例えば、特許文献１参照）。
【０００３】
【特許文献１】特開２００１−１３７４３９号公報
【発明の開示】
【発明が解決しようとする課題】
【０００４】
ところで、上述したような遊技機は、遊技場に据え付けられた島設備に複数台並設されており、それぞれが独立して動作している。このため、遊技者は、例えば、自身が利用する遊技機を操作して他の遊技機の画像表示装置に任意のタイミングでメッセージ等を書き込む等ができない。すなわち、各画像表示装置を利用して他の遊技者との間で情報をやり取りし興趣を向上させることができない、という問題がある。
【０００５】
本発明の目的は、興趣を向上させることができる画像表示装置、遊技機、および遊技システムを提供することにある。
【課題を解決するための手段】
【０００６】
本発明の画像表示装置は、画像を表示する表示手段と、前記表示手段を制御する制御手段とを備えた画像表示装置であって、他の画像表示装置に表示させる表示画像に関する表示画像情報を含む送信情報を設定入力させる設定入力手段と、他の画像表示装置に接続し、接続された前記他の画像表示装置との間で前記送信情報を送受信する送受信手段とを備え、前記制御手段は、前記送受信手段を介して前記送信情報を送信させる送信制御部と、前記送受信手段を介して受信した前記送信情報に基づく前記表示画像を前記表示手段に表示させる表示制御を実施する表示制御部とを備えることを特徴とする。
【０００７】
本発明では、画像表示装置は、設定入力手段と、送受信手段と、送信制御部および表示制御部を有する制御手段とを備える。このことにより、例えば、２台の画像表示装置を各送受信手段にて情報を送受信可能に接続すれば、以下に示すように、各画像表示装置を動作させることができる。
先ず、一方の画像表示装置を構成する制御手段は、以下のように動作する。
送信制御部は、例えば利用者により設定入力手段にメッセージ等の表示画像に関する表示画像情報を含む送信情報が設定入力されると、送受信手段を介して他方の画像表示装置に送信情報を送信させる。
次に、他方の画像表示装置を構成する制御手段は、以下のように動作する。
表示制御部は、送受信手段を介して一方の画像表示装置からの送信情報を受信すると、送信情報に基づくメッセージ等の表示画像を表示手段に表示させる表示制御を実施する。
以上のように、利用者は、自身が利用する画像表示装置の設定入力手段を操作して他の画像表示装置に任意のタイミングでメッセージ等を書き込むことができる。すなわち、各画像表示装置を利用して他の利用者との間で情報をやり取りし興趣を向上させることができる。
【０００８】
本発明の画像表示装置では、前記送受信手段は、他の２つの画像表示装置にそれぞれ接続する第１送受信部および第２送受信部を備え、前記送信情報は、前記表示画像を表示させる送信先である他の画像表示装置に関する送信先情報を含んで構成され、前記制御手段は、前記第１送受信部および前記第２送受信部のうち一方の送受信部を介して受信した前記送信先情報に基づいて、送信先が自身の画像表示装置であるか否かを判定する送信先判定部を備え、前記送信制御部は、前記送信先判定部にて送信先が自身の画像表示装置でないと判定された場合に、前記第１送受信部および前記第２送受信部のうち他方の送受信部を介して前記送信情報を送信させ、前記表示制御部は、前記送信先判定部にて送信先が自身の画像表示装置であると判定された場合に、前記表示制御を実施することが好ましい。
【０００９】
本発明では、送受信手段は、第１送受信部および第２送受信部を備える。このことにより、送受信手段にて情報を送受信可能に３台以上の画像表示装置を直列に接続できる。
また、設定入力手段は、表示画像情報のみならず、送信先情報をも設定入力可能に構成され、送信制御部は、送受信手段を介して表示画像情報および送信先情報を含む送信情報を送信させる。そして、制御手段は、送信先判定部を備え、送信制御部および表示制御部は、送信先判定部の判定結果に応じて上述した処理を実行する。このことにより、送受信手段にて情報を送受信可能に３台以上の画像表示装置を直列に接続した場合であっても、利用者は、自身が利用する画像表示装置の設定入力手段を操作して所望の他の画像表示装置に任意のタイミングでメッセージ等を書き込むことができる。
【００１０】
本発明の画像表示装置では、前記送信先情報は、自身の画像表示装置から前記送信先の他の画像表示装置までの自身の画像表示装置を除いた接続台数に関する接続台数情報を含んで構成され、前記送信先判定部は、前記一方の送受信部を介して受信した前記接続台数情報に基づく接続台数から１を減じ、１を減じた前記接続台数が０であるか否かで、送信先が自身の画像表示装置であるか否かを判定することが好ましい。
本発明によれば、送信先情報は、接続台数情報を含んで構成されている。すなわち、利用者は、接続台数情報を設定入力手段に設定入力する際、送信先の画像表示装置が自身の画像表示装置から何台先であるかの数値を設定入力すればよく、設定入力手段への操作性を向上できる。また、各画像表示装置間で送受信される送信情報に含まれる接続台数情報を数値で構成できるため、送信先判定部による判定を上述した処理で実施させることができ、処理負荷を低減できる。また、接続台数情報を数値で構成できるため、送信情報のデータ量を小さくでき、各画像表示装置間での送受信を円滑に実施させることができる。
【００１１】
本発明の画像表示装置では、前記送信制御部は、自身の画像表示装置の前記設定入力手段に前記送信情報が設定入力された場合に、送信元である自身の画像表示装置に関する送信元情報を前記送信情報に含めて送信させ、前記設定入力手段は、前記送信情報の他、他の特定の画像表示装置に関する特定装置情報を設定入力させ、前記制御手段は、前記特定装置情報を記憶する特定装置情報記憶部と、前記送受信手段を介して受信した前記送信元情報と前記特定装置情報とに基づいて、前記送信元が前記特定の画像表示装置である場合に、前記表示制御部による前記表示制御を禁止させる表示制御禁止部とを備えることが好ましい。
【００１２】
本発明では、送信制御部は、利用者による設定入力手段の操作の後、自身の画像表示装置に関する送信元情報を送信情報に含めて送信させる。そして、制御手段は、設定入力手段に設定入力された特定装置情報を記憶する特定装置情報記憶部と、送受信手段を介して送信情報を受信した際に、送信元情報と特定装置情報とを比較し送信元が特定の画像表示装置である場合に、受信した送信情報に基づく表示画像の表示を禁止させる表示制御禁止部とを備える。このことにより、利用者は、他の利用者による操作によって他の画像表示装置から送信され、自身が利用する画像表示装置に表示されたメッセージ等が不快なものであった場合等に、設定入力手段に特定装置情報を設定入力するだけで、前記他の画像表示装置から送信情報が送信された場合であっても、該送信情報に基づくメッセージ等の表示を禁止させることができる。
【００１３】
本発明の遊技機は、遊技用画像を表示する画像表示装置を備えた遊技機であって、前記画像表示装置は、上述した画像表示装置を備えることを特徴とする。
本発明によれば、遊技機は、上述した画像表示装置を備えるので、上述した画像表示装置と同様の作用および効果を享受できる。
【００１４】
本発明の遊技システムは、上述した遊技機を複数備え、前記複数の遊技機を構成する各画像表示装置が前記送信情報を送受信可能に互いに接続されていることを特徴とする。
本発明によれば、遊技システムは、各画像表示装置が送信情報を送受信可能に互いに接続された複数の上述した遊技機を備えるので、上述した遊技機と同様の作用および効果を享受できる。
【発明を実施するための最良の形態】
【００１５】
以下、本発明の実施の一形態を図面に基づいて説明する。
〔遊技システムの概略構成〕
図１は、遊技システム１の構成を示すブロック図である。
遊技システム１は、遊技場において、互いに隣接して配設され、情報を送受信可能に直列に接続された複数の遊技機としてのパチンコ機２を備え、遊技者により設定入力されたメッセージ画像を他のパチンコ機２に表示させるシステムである。
なお、本実施形態では、遊技システム１は、中央に配設される中央パチンコ機２Ａと、中央パチンコ機２Ａの左側に配設される左側パチンコ機２Ｂと、中央パチンコ機２Ａの右側に配設される右側パチンコ機２Ｃの３台のパチンコ機を備えるものとする。また、３台のパチンコ機２Ａ〜２Ｃは、同様の構造を有しているものであり、図１では、中央パチンコ機２Ａの構成のみを具体的に図示している。
【００１６】
〔パチンコ機の構成〕
パチンコ機２は、遊技者の操作により、遊技球を遊技盤上に打ち出し、当該遊技球が遊技盤に設けられた入賞口等に入賞した場合に、所定数の遊技球を払い出すものである。このパチンコ機２は、図１に示すように、遊技機構３と、主制御装置４と、画像表示装置５等を備える。
遊技機構３は、図示しない遊技盤と、球打ち出し機構３１と、スタートチャッカ３２と、大入賞口３３と、入賞口３４と、払出装置３５等を備える。
前記遊技盤は、図示は省略したが、遊技面に遊技球を導く複数の釘および風車等が配設されるとともに、スタートチャッカ３２、大入賞口３３、入賞口３４、および画像表示装置５を構成する後述する表示手段５１を所定位置にそれぞれ配置する。
【００１７】
球打ち出し機構３１は、具体的な図示は省略したが、回動操作可能な発射ハンドルと、前記発射ハンドルの回動角度に応じた力で遊技球を発射させる発射モータ等で構成され、主制御装置４による制御の下、前記遊技盤上に遊技球を打ち出す。
スタートチャッカ３２は、遊技球が入賞した際に主制御装置４に所定の信号を出力し、主制御装置４に抽選処理を実行させる。
大入賞口３３は、前記抽選処理の結果、「大当たり」が生じた場合に開放される。
払出装置３５は、主制御装置４による制御の下、スタートチャッカ３２、大入賞口３３、入賞口３４に遊技球が入賞した際に、所定数の遊技球を払い出す。
【００１８】
主制御装置４は、ＣＰＵ(Central Processing Unit)等を含んで構成され、図示しないメモリに記憶された制御プログラムにしたがって各種の処理（前記抽選処理等）を実行し、遊技機構３の動作を制御したり、画像表示装置５に制御コマンドを出力して所定の演出パターンの遊技用画像を表示させる。
【００１９】
画像表示装置５は、主制御装置４からの制御コマンドや、プログラムＲＯＭ(Read Only Memory)５４３に記憶された表示プログラムにしたがって、遊技用画像や他のパチンコ機２から送信された送信情報に基づくメッセージ画像（表示画像）を表示する。この画像表示装置５は、図１に示すように、表示手段５１と、設定入力手段５２と、送受信手段５３と、制御手段５４とを備える。
表示手段５１は、液晶パネルおよびバックライトを備えた液晶表示装置で構成され、前記遊技盤の略中央部分に形成された矩形状の表示窓を介して露出し、制御手段５４による制御の下、遊技用画像やメッセージ画像を表示する。なお、表示手段５１としては、液晶表示装置に限らず、画像を表示可能な構成であればいずれの構成であってもよく、例えば、有機ＥＬ(Electro Luminescence)素子等を採用してもよい。
【００２０】
設定入力手段５２は、遊技者により所定の情報が設定入力され、設定入力された情報に応じた操作信号を制御手段５４に出力する。この設定入力手段５２は、図１に示すように、表示画像情報入力部５２１と、送信先情報入力部５２２と、特定装置情報入力部５２３等を備える。
表示画像情報入力部５２１は、他のパチンコ機２の表示手段５１に表示させるメッセージ画像に関する表示画像情報を遊技者に設定入力させる。本実施形態では、表示画像情報入力部５２１は、「祝福」を示すメッセージ画像に関する表示画像情報を遊技者に選択させる第１選択ボタン５２１Ａと、「同情」を示すメッセージ画像に関する表示画像情報を遊技者に選択させる第２選択ボタン５２１Ｂと、「嫉妬」を示すメッセージ画像に関する表示画像情報を遊技者に選択させる第３選択ボタン５２１Ｃとを備える。
【００２１】
送信先情報入力部５２２は、メッセージ画像を表示させる送信先である他のパチンコ機２に関する送信先情報を遊技者に設定入力させる。本実施形態では、送信先情報入力部５２２は、送信先の他のパチンコ機２が自身のパチンコ機２に対して右あるいは左のいずれの方向に配設されているかを示す方向情報と、送信先の他のパチンコ機２が自身のパチンコ機２に対して何台先であるかを示す接続台数情報（自身のパチンコ機２から送信先の他のパチンコ機２までの自身のパチンコ機２を除く接続台数に関する情報）とを遊技者に設定入力させる。
【００２２】
特定装置情報入力部５２３は、他の特定のパチンコ機２に関する特定装置情報を設定入力させる。本実施形態では、特定装置情報入力部５２３は、入力ボタンで構成され、遊技者により押下されることで特定装置情報が設定入力される。例えば、遊技者は、パチンコ機２の遊技中に、他のパチンコ機２から送信され、自身のパチンコ機２に表示されたメッセージ画像が不快なものであった場合等には、特定装置情報入力部５２３を押下する。そして、特定装置情報入力部５２３が押下されることで、自身のパチンコ機２は、前記他のパチンコ機２から送信情報が送信された場合であっても、送信情報に基づくメッセージ画像を表示しない表示禁止状態に設定される。
【００２３】
送受信手段５３は、信号線ＳＬを介して他のパチンコ機２の送受信手段５３と接続し、隣接接続される他のパチンコ機２との間でそれぞれ送信情報を送受信する。この送受信手段５３は、図１に示すように、第１送受信部５３１と、第２送受信部５３２とを備える。
第１送受信部５３１は、自身のパチンコ機２に対して左隣に配設される他のパチンコ機２の送受信手段５３と接続する。そして、第１送受信部５３１は、他のパチンコ機２から送信される送信情報に対してインタフェース規格に対応した処理を実施して出力する。また、第１送受信部５３１は、制御手段５４から出力される送信情報に対してインタフェース規格に対応した処理を実施して他のパチンコ機２に送信する。
第２送受信部５３２は、第１送受信部５３１と同様のものであり、自身のパチンコ機２に対して右隣に配設される他のパチンコ機２の送受信手段５３と接続する。
すなわち、本実施形態では、具体的な図示は省略したが、左側パチンコ機２Ｂの第２送受信部５３２と中央パチンコ機２Ａの第１送受信部５３１とが信号線ＳＬを介して接続され、中央パチンコ機２Ａの第２送受信部５３２と右側パチンコ機２Ｃの第１送受信部５３１とが信号線ＳＬを介して接続されている。
なお、本実施形態では、送受信手段５３は、シリアルインタフェース規格で構成されている。例えば、シリアルインタフェース規格としては、Ｉ２Ｃ（Inter-Integrated Circuit）やＩｒＤＡ（Infrared Data Association）等が例示できる。
【００２４】
制御手段５４は、主制御装置４からの制御コマンドや送受信手段５３を介して受信した送信情報に応じて画像信号を生成し、表示手段５１に出力して、表示手段５１に遊技用画像やメッセージ画像を表示させる。この制御手段５４は、操作受付部５４１と、ＣＰＵ５４２と、プログラムＲＯＭ５４３と、特定装置情報記憶部としてのＲＡＭ(Random Access Memory)５４４と、表示制御部５４５と、ＣＧＲＯＭ(Character Generator ROM)５４６等を備える。
【００２５】
操作受付部５４１は、設定入力手段５２からの操作信号を入力し、ＣＰＵ５４２にて読取可能なデジタル信号に変換してＣＰＵ５４２に出力する。
例えば、操作受付部５４１は、表示画像情報入力部５２１からの操作信号については、各選択ボタン５２１Ａ〜５２１Ｃからの操作信号を、「祝福」、「同情」、「嫉妬」を示す各メッセージ画像に関する各表示画像情報に対応した各表示ＩＤ番号（本実施形態では、「１」、「２」、「３」）にそれぞれ変換し、ＣＰＵ５４２に出力する。
【００２６】
プログラムＲＯＭ５４３には、表示手段５１に各種演出パターンの遊技用画像や各メッセージ画像を表示させるための表示手順等が形成された表示プログラム等が格納されている。
ＲＡＭ５４４は、ＣＰＵ５４２の動作上必要なデータやプログラムを一時記憶する。
ＣＰＵ５４２は、主制御装置４から出力される制御コマンドや、送受信手段５３を介して受信した送信情報を認識して、プログラムＲＯＭ５４３に格納された表示プログラムを読み出し、該表示プログラムにしたがって、送受信手段５３や表示制御部５４５の動作を制御する。このＣＰＵ５４２は、図１に示すように、送信制御部５４２Ａと、送信先判定部５４２Ｂと、送信元判別部５４２Ｃと、表示制御禁止部５４２Ｄ等を備える。
【００２７】
送信制御部５４２Ａは、送受信手段５３を制御し、送受信手段５３を介して送信情報を他のパチンコ機２に送信させる。
例えば、送信制御部５４２Ａは、操作受付部５４１からの信号により遊技者によって設定入力手段５２に表示画像情報および送信先情報が設定入力されたことを認識した場合には、操作受付部５４１からの信号に基づいて、表示画像情報に対応した表示ＩＤ番号に対してヘッダに接続台数情報を付加しフッタに送信元情報を付加したパケット（送信情報）を生成する。そして、送信制御部５４２Ａは、生成したパケットを第１送受信部５３１および第２送受信部５３２のうち一方の送受信部を介してシリアル送信させる。
また、例えば、送信制御部５４２Ａは、第１送受信部５３１および第２送受信部５３２のうち一方の送受信部を介してパケットを受信した場合には、送信先判定部５４２Ｂの判定結果に応じて、受信したパケットのヘッダおよびフッタの情報を変更したパケットを生成し、生成したパケットを他方の送受信部を介してシリアル送信させる。
【００２８】
送信先判定部５４２Ｂは、受信したパケットに基づいて、自身のパチンコ機２が送信先であるか否かを判定する。
送信元判別部５４２Ｃは、受信したパケットと、パケットを受信した送受信部（第１送受信部５３１、第２送受信部５３２）とに基づいて、送信元のパチンコ機２を判別する。
また、送信元判別部５４２Ｃは、操作受付部５４１からの信号により遊技者によって特定装置情報入力部５２３が押下されたことを認識した場合には、受信したパケットに基づいて送信元を判別し、判別した送信元である特定の他のパチンコ機２に関する特定装置情報をＲＡＭ５４４に記憶させる。
表示制御禁止部５４２Ｄは、ＲＡＭ５４４に記憶された特定装置情報を読み出し、特定装置情報に基づく特定の他のパチンコ機２と、送信元判別部５４２Ｃにて判別された送信元のパチンコ機２とが一致するか否か、すなわち、表示禁止状態に設定されているか否かを判定する。そして、表示制御禁止部５４２Ｄは、表示禁止状態に設定されていると判定した場合に限り、表示制御部５４５による後述する表示制御を禁止させる。
【００２９】
ＣＧＲＯＭ５４６には、表示手段５１に表示させる抽選画像や背景画像等に関する複数の遊技用画像データや、各表示ＩＤ番号がそれぞれ関連付けられた「祝福」、「同情」、「嫉妬」を示すメッセージ画像に関する各メッセージ画像データが格納されている。
表示制御部５４５は、ＣＰＵ５４２からの制御信号を認識して、ＣＧＲＯＭ５４６に格納された所定の遊技用画像データや所定のメッセージ画像データを読み出し、遊技用画像データやメッセージ画像データに基づく画像信号を生成して表示手段５１に出力し、表示手段５１に遊技用画像やメッセージ画像を表示させる。
【００３０】
〔遊技システムの動作〕
次に、上述した遊技システム１の動作について図面を参照して説明する。
図２は、遊技システム１の動作を説明するフローチャートである。
図３は、遊技システム１の動作を説明するための図である。
なお、以下では、説明を簡略化するために、遊技者により左側パチンコ機２Ｂの設定入力手段５２が入力操作され、他のパチンコ機２Ａ，２Ｃにメッセージ画像が表示される際の各パチンコ機２Ａ〜２Ｃの動作を説明する。
【００３１】
先ず、左側パチンコ機２Ｂにおける制御手段５４は、プログラムＲＯＭ５４２に記憶された表示プログラムにしたがって、以下に示すように動作する。
すなわち、送信制御部５４２Ａは、操作受付部５４１から信号を入力したか否か、すなわち、遊技者によって設定入力手段５２に表示画像情報および送信先情報が設定入力されたか否かを常時、監視する（ステップＳ１Ａ）。
ステップＳ１Ａにおいて、送信制御部５４２Ａは、「Ｙ」と判定した場合には、操作受付部５４１からの信号に基づいて、遊技者によって設定入力手段５２に設定入力された表示画像情報（表示ＩＤ番号）および送信先情報（方向情報、接続台数情報）を認識する。
【００３２】
そして、送信制御部５４２Ａは、表示ＩＤ番号に対して、ヘッダに送信先情報に含まれる接続台数情報として何台先であるかを示す数値を付加し、フッタに送信元情報として「０」の数値を付加したパケットを生成する（ステップＳ１Ｂ）。
例えば、遊技者が中央パチンコ機２Ａまたは右側パチンコ機２Ｃに「祝福」のメッセージ画像を表示させるために第１選択ボタン５２１Ａを押下するとともに、送信先情報入力部５２２に「右」を示す方向情報と、「１」台先または「２」台先を示す接続台数情報とを設定入力した場合には、送信制御部５４２Ａは、「祝福」のメッセージ画像に関する表示画像情報に対応した表示ＩＤ番号「１」に対して、ヘッダに接続台数情報の「１」または「２」を付加し、フッタに「０」を付加したパケットを生成する。
【００３３】
ステップＳ１Ｂの後、送信制御部５４２Ａは、認識した送信先情報（方向情報「右」）に基づいて第２送受信部５３２を選択し、第２送受信部５３２を介してステップＳ１Ｂにて生成したパケットを送信させる（ステップＳ１Ｃ）。
なお、送信制御部５４２Ａは、認識した方向情報が「左」である場合には、第１送受信部５３１を選択する。
【００３４】
次に、中央パチンコ機２Ａにおける制御手段５４は、左側パチンコ機２Ｂから送信されたパケットを受信する（ステップＳ２Ａ）と、プログラムＲＯＭ５４２に記憶された表示プログラムにしたがって、以下に示すように動作する。
すなわち、送信先判定部５４２Ｂは、受信したパケットを構成するヘッダの数値から１を減じ、１を減じた数値が０であるか否かで、自身の中央パチンコ機２Ａが送信先であるか否かを判定する（ステップＳ２Ｂ）。
例えば、左側パチンコ機２Ｂの遊技者が中央パチンコ機２Ａにメッセージ画像を表示させる場合には上述した情報が設定入力手段５２に設定入力され、中央パチンコ機２Ａには、左側パチンコ機２Ｂから、ヘッダに「１」が付加されたパケットが送信される。このような場合には、ステップＳ２Ｂにおいて、送信先判定部５４２Ｂは、ヘッダの数値「１」から１を減じることでヘッダの数値が「０」となるため、「Ｙ」と判定する。
【００３５】
ステップＳ２Ｂにおいて、「Ｙ」と判定された場合には、送信元判別部５４２Ｃは、受信したパケットを構成するフッタの数値に１を加え、１を加えた数値と、パケットを受信した送受信部（第１送受信部５３１）とに基づいて、送信元のパチンコ機２を判別する（ステップＳ２Ｃ）。
左側パチンコ機２Ｂから中央パチンコ機２Ａに送信されたパケットを構成するフッタの数値は「０」であるため、送信元判別部５４２Ｃは、フッタの数値「０」に１を加えた「１」をフッタの数値とする。そして、送信元判別部５４２Ｃは、ステップＳ２Ｃにおいて、フッタの数値が「１」であり、パケットを受信した送受信部が第１送受信部５３１であることから、第１送受信部５３１が接続する左側の１台先の左側パチンコ機２Ｂを送信元として判別する。
【００３６】
ステップＳ２Ｃの後、表示制御禁止部５４２Ｄは、ＲＡＭ５４４に記憶された特定装置情報を読み出し、特定装置情報に基づく特定の他のパチンコ機２と、ステップＳ２Ｃにおいて送信元判別部５４２Ｃにて判別された送信元のパチンコ機２とが一致するか否か、すなわち、表示禁止状態に設定されているか否かを判定する（ステップＳ２Ｄ）。
ステップＳ２Ｄにおいて、ＣＰＵ５４２は、「Ｎ」と判定した場合には、受信したパケットの表示ＩＤ番号を含んだ制御信号を表示制御部５４５に出力する。そして、表示制御部５４５は、ＣＰＵ５４２からの制御信号を認識して、ＣＧＲＯＭ５４６に格納された所定のメッセージ画像データを読み出し、現状で表示している遊技用画像にメッセージ画像データに基づくメッセージ画像を重畳させた画像を表示手段５１に表示させる（ステップＳ２Ｅ）。
【００３７】
例えば、ステップＳ２Ｅにおいて、図３の例に示す画像Ｆが表示手段５１に表示される。図３の例では、左側パチンコ機２Ｂの遊技者が第１選択ボタン５２１Ａを押下した場合を示しており、表示手段５１には、文字や数字等の絵柄がスクロールするような抽選画像（遊技用画像）ＦＡに「祝福」を示すメッセージ画像ＦＭが重畳された画像Ｆが表示されている。
【００３８】
ステップＳ２Ｅの後、送信元判別部５４２Ｃは、操作受付部５４１から信号を入力したか否か、すなわち、遊技者によって特定装置情報入力部５２３が押下されたか否かを判定する（ステップＳ２Ｆ）。
ステップＳ２Ｆにおいて、送信元判別部５４２Ｃは、「Ｙ」と判定した場合には、ステップＳ２Ｃにおいて判別した送信元である他のパチンコ機２に関する特定装置情報をＲＡＭ５４４に記憶させる（ステップＳ２Ｇ）。
【００３９】
例えば、左側パチンコ機２Ｂの遊技者が中央パチンコ機２Ａにメッセージ画像を表示させるために設定入力手段５２を操作し、中央パチンコ機２Ａの遊技者が特定装置情報入力部５２３を押下した場合には、ステップＳ２Ｆにおいて、送信元判別部５４２Ｃは、送信元である左側パチンコ機２Ｂに関する特定装置情報をＲＡＭ５４４に記憶させる。
そして、ステップＳ２Ｄでは、表示制御禁止部５４２Ｄは、「Ｙ」、すなわち、表示禁止状態に設定されていると判定する。
ステップＳ２Ｄにおいて、「Ｙ」と判定された場合には、表示制御禁止部５４２Ｄは、表示制御部５４５による表示制御を禁止する（ステップＳ２Ｈ）。すなわち、中央パチンコ機２Ａにメッセージ画像を表示させるために左側パチンコ機２Ｂから中央パチンコ機２Ａにパケットが送信されても、表示手段５１には、パケットに基づくメッセージ画像ＦＭが表示されず、遊技用画像ＦＡのみが表示された状態となる。
【００４０】
また、例えば、左側パチンコ機２Ｂの遊技者が右側パチンコ機２Ｃにメッセージ画像を表示させる場合には上述した情報が設定入力手段５２に設定入力され、中央パチンコ機２Ａには、左側パチンコ機２Ｂから、ヘッダに「２」が付加されたパケットが送信される。このような場合には、ステップＳ２Ｂにおいて、送信先判定部５４２Ｂは、ヘッダの数値「２」から１を減じることでヘッダの数値が「１」となるため、「Ｎ」、すなわち、自身の中央パチンコ機２Ａが送信先でないと判定する。
【００４１】
ステップＳ２Ｂにおいて、「Ｎ」と判定された場合には、送信制御部５４２Ａは、ステップＳ２Ａにおいて受信したパケットにおいて、ヘッダの数値を、１を減じた数値とするとともに、フッタの数値を、１を加えた数値としたパケットを生成する（ステップＳ２Ｉ）。
ステップＳ２Ｉの後、送信制御部５４２Ａは、ステップＳ２Ａにおいて受信した送受信部（第１送受信部５３１）とは異なる送受信部（第２送受信部５３２）を介して、生成したパケットを送信する（ステップＳ２Ｊ）。
【００４２】
次に、右側パチンコ機２Ｃにおける制御手段５４は、中央パチンコ機２Ａから送信されたパケットを受信する（ステップＳ３Ａ）と、プログラムＲＯＭ５４２に記憶された表示プログラムにしたがって、以下に示すように動作する。
すなわち、送信先判定部５４２Ｂは、上述した中央パチンコ機２Ａにおける制御手段５４のステップＳ２Ｂと同様の処理を実行する（ステップＳ３Ｂ）。
例えば、左側パチンコ機２Ｂの遊技者が右側パチンコ機２Ｃにメッセージ画像を表示させる場合には上述した情報が設定入力手段５２に設定入力され、左側パチンコ機２Ｂから中央パチンコ機２Ａに向けてヘッダに「２」が付加されたパケットが送信される。また、中央パチンコ機２Ａから右側パチンコ機２Ｃに向けてヘッダの数値「２」から１を減じた「１」が付加されたパケットが送信される。このような場合には、ステップＳ３Ｂにおいて、送信先判定部５４２Ｂは、ヘッダの数値「１」から１を減じることでヘッダの数値が「０」となるため、「Ｙ」、すなわち、自身の右側パチンコ機２Ｃが送信先であると判定する。
【００４３】
ステップＳ３Ｂにおいて、「Ｙ」と判定された場合には、送信元判別部５４２Ｃは、上述した中央パチンコ機２Ａにおける制御手段５４のステップＳ２Ｃと同様の処理を実行する（ステップＳ３Ｃ）。
中央パチンコ機２Ａから右側パチンコ機２Ｃに送信されたパケットを構成するフッタの数値は「１」であるため、送信元判別部５４２Ｃは、フッタの数値「１」に１を加えた「２」をフッタの数値とする。そして、送信元判別部５４２Ｃは、ステップＳ３Ｃにおいて、フッタの数値が「２」であり、パケットを受信した送受信部が第１送受信部５３１であることから、第１送受信部５３１が接続する左側の２台先の左側パチンコ機２Ｂを送信元として判別する。
【００４４】
ステップＳ３Ｃの後、制御手段５４は、上述した中央パチンコ機２Ａにおける制御手段５４のステップＳ２Ｄ〜Ｓ２Ｈと同様の処理を実行する（ステップＳ３Ｄ〜Ｓ３Ｈ）。
【００４５】
例えば、左側パチンコ機２Ｂの遊技者が右側パチンコ機２Ｃにメッセージを表示させる際、設定入力手段５２に接続台数情報として「２」を設定入力すべきところ、誤って「３」を設定入力した場合には、右側パチンコ機２Ｃには、中央パチンコ機２Ａから、ヘッダの数値「３」から１を減じた「２」が付加されたパケットが送信される。このような場合には、ステップＳ３Ｂにおいて、送信先判定部５４２Ｂは、ヘッダの数値「２」から１を減じることでヘッダの数値が「１」となるため、「Ｎ」、すなわち、自身の右側パチンコ機２Ｃが送信先でないと判定する。
ステップＳ３Ｂにおいて、制御手段５４は、「Ｎ」と判定した場合には、ステップＳ３Ａにおいて受信した送受信部（第１送受信部５３１）とは異なる送受信部（第２送受信部５３２）が他のパチンコ機と接続されていないため、処理を終了する。
なお、制御手段５４は、ステップＳ３Ａにおいて受信した送受信部（第１送受信部５３１）とは異なる送受信部（第２送受信部５３２）が他のパチンコ機と接続されている場合には、上述した中央パチンコ機２Ａにおける制御手段５４のステップＳ２Ｉ，Ｓ２Ｊと同様の処理を実行する。
【００４６】
上述した実施形態によれば、以下の効果がある。
本実施形態では、遊技システム１は、複数のパチンコ機２を備える。そして、パチンコ機２を構成する画像表示装置５は、設定入力手段５２と、送受信手段５３と、送信制御部５４２Ａおよび表示制御部５４５を有する制御手段５４とを備える。このことにより、２台のパチンコ機２を各送受信手段５３にて情報を送受信可能に接続することで、遊技者は、自身が利用するパチンコ機２の設定入力手段５２を操作して他のパチンコ機２の画像表示装置５に任意のタイミングでメッセージ画像を表示させることができる。すなわち、各画像表示装置５を利用して他の遊技者との間で情報をやり取りし興趣を向上させることができる。
【００４７】
また、送受信手段５３は、第１送受信部５３１および第２送受信部５３２を備える。このことにより、３台以上のパチンコ機２を送受信手段５３にて情報を送受信可能に直列に接続できる。
さらに、設定入力手段５２は、表示画像情報のみならず、送信先情報をも設定入力可能に構成され、送信制御部５４２Ａは、送受信手段５３を介して表示画像情報（表示ＩＤ）および送信先情報を含むパケットを送信させる。そして、制御手段５４は、送信先判定部５４２Ｂを備え、送信制御部５４２Ａおよび表示制御部５４５は、送信先判定部５４２Ｂの判定結果に応じて上述した処理を実行する。このことにより、３台以上のパチンコ機２を送受信手段５３にて情報を送受信可能に直列に接続した場合であっても、遊技者は、自身が利用するパチンコ機２の設定入力手段５２を操作して所望の他のパチンコ機２の画像表示装置５に任意のタイミングでメッセージ画像を表示させることができる。
【００４８】
また、送信先情報は、接続台数情報を含んで構成されている。すなわち、遊技者は、接続台数情報を設定入力手段５２に設定入力する際、送信先のパチンコ機２が自身のパチンコ機２から何台先であるかの数値を設定入力すればよく、設定入力手段５２への操作性を向上できる。また、各パチンコ機２間で送受信されるパケットに含まれる接続台数情報を数値で構成できるため、送信先判定部５４２Ｂによる判定を上述した処理で実施させることができ、処理負荷を低減できる。また、接続台数情報を数値で構成できるため、パケットのデータ量を小さくでき、各パチンコ機２間での送受信を円滑に実施させることができる。
【００４９】
さらに、送信制御部５４２Ａは、遊技者による設定入力手段５２の操作の後、自身のパチンコ機２に関する送信元情報をパケットに含めて送信させる。そして、制御手段は、設定入力手段５２に設定入力された特定装置情報を記憶するＲＡＭ５４４と、送受信手段５３を介してパケットを受信した際に、送信元情報と特定装置情報とを比較し送信元が特定のパチンコ機２である場合に、受信したパケットに基づくメッセージ画像の表示を禁止させる表示制御禁止部５４２Ｄとを備える。このことにより、遊技者は、他の遊技者による操作によって他のパチンコ機２から送信され、自身が利用するパチンコ機２の画像表示装置５に表示されたメッセージ画像が不快なものであった場合等に、設定入力手段５２に特定装置情報を設定入力するだけで、前記他のパチンコ機２からパケットが送信された場合であっても、該パケットに基づくメッセージ画像の表示を禁止させることができる。
また、送信元情報も接続台数情報と同様に数値で構成しているため、送信元判別部５４２Ｃによる送信元の判別を上述した処理で実施させることができ、処理負荷を低減できる。また、送信元情報も数値で構成できるため、パケットのデータ量をさらに小さくできる。さらに、表示画像情報も同様に、表示ＩＤ番号で構成しているため、パケットのデータ量をさらに一層小さくできる。
【００５０】
なお、本発明は前述の実施形態に限定されるものではなく、本発明の目的を達成できる範囲での変形、改良等は本発明に含まれるものである。
前記実施形態では、遊技システム１は、３台のパチンコ機２で構成されていたが、その台数は、３台に限らず、２台でも４台以上でも構わない。
例えば、２台のパチンコ機２で遊技システム１を構成する場合には、送受信部５３１，５３２は２つ必要とせず、いずれか１つのみ設ければよい。
また、例えば、遊技システム１をパチンコ機２が４台以上の島で構成する場合に、最も左側のパチンコ機２の第１送受信部５３１と最も右側のパチンコ機２の第２送受信部５３２とを接続して、１つの島単位で閉じたリング状のネットワークとすることもできる。
この場合、送信先情報を設定する数値を決定するのに島全体の台数や島の末端を考慮する必要がなく、いかなる数値でも受け付けることができる。また、パケット通信時に島の末端の台であるか否かといった境界条件を考慮しなくて良いので、設定入力手段５２と制御手段５４とに属するプログラムの構成を簡単に保つことができる。さらに、パケットが島の両端で巡回することを利用して、例えば長大な島の末端付近の台同士の送信先指定を行う際に、「端から何台目」を遊技者同士が指定するといった応用も可能になるので、さらに遊技者の興趣を向上させることができる。
【００５１】
前記実施形態では、他のパチンコ機２の画像表示装置５にメッセージ画像を表示させる際、遊技者に、予め設定された「祝福」、「同情」、「嫉妬」を示すメッセージ画像に関する表示画像情報を選択させていたが、これに限らず、自由にメッセージを設定入力させる構成とし、該設定入力されたメッセージをパケットに含めて送信し、他のパチンコ機２の画像表示装置５に表示させる構成としても構わない。
また、予め設定されたメッセージ画像としては、前記実施形態で説明したメッセージ画像に限らず、その数も３つに限らない。
さらに、他のパチンコ機２の画像表示装置５に表示させる表示画像として、メッセージ画像を採用したが、メッセージに限らず、その他の画像を表示させるように構成しても構わない。
さらにまた、送信元判別部５４２Ｃにて判別した送信元に関する情報をメッセージ画像とともに表示させても構わない。
【００５２】
前記実施形態では、送信情報として、上述した構成のパケットを採用したが、その構成は、前記実施形態で説明した構成に限らず、その他の構成を採用しても構わない。
例えば、遊技システム１を構成する各パチンコ機２に予め番号等の識別情報を設定しておき、送信先情報として、前記識別情報を遊技者に設定入力させる構成としてもよい。送信元情報も同様に、前記識別情報で構成して構わない。
また、特定装置情報も同様に、前記識別情報を遊技者に設定入力させる構成としてもよい。
【００５３】
前記実施形態において、送受信手段５３のインタフェース規格は、前記実施形態で説明したインタフェース規格に限らず、他のインタフェース規格を採用しても構わない。
前記実施形態において、特定装置情報を記憶させる（表示禁止状態に設定する）処理（ステップＳ２Ｆ，Ｓ２Ｇ）は、前記実施形態で説明した手順に限らない。
例えば、ステップＳ２Ｃにおいて判別した送信元をＲＡＭ５４４等に順次、記憶させ履歴として残しておく。また、遊技者による設定入力手段５１の操作により、前記履歴を表示手段５１に表示させるとともに、表示された前記履歴からいずれかの送信元を選択可能に構成する。そして、遊技者による設定入力手段５１の操作によって、選択された送信元に関する特定装置情報をＲＡＭ５４４に記憶させる。すなわち、このような構成であれば、特定装置情報を記憶させる処理を、ステップＳ２Ｅの後でなくても、いずれのタイミングでも実行できる。
【００５４】
前記実施形態では、画像表示装置５をパチンコ機２に搭載した構成を説明したが、これに限らず、パチスロ機、アーケードゲーム等のゲーム機等の他の遊技機に搭載しても構わない。さらに、遊技機に搭載する構成に限らず、画像表示装置５単体で設け、複数の画像表示装置５を送受信手段５３にて接続した表示システムとして構成しても構わない。
【産業上の利用可能性】
【００５５】
本発明の画像表示装置は、興趣を向上できるため、パチンコ機等の遊技機に利用できる。
【図面の簡単な説明】
【００５６】
【図１】本実施形態における遊技システムの構成を示すブロック図。
【図２】前記実施形態における遊技システムの動作を説明するフローチャート。
【図３】前記実施形態における遊技システムの動作を説明するための図。
【符号の説明】
【００５７】
１・・・遊技システム、２・・・パチンコ機（遊技機）、５・・・画像表示装置、５１・・・表示手段、５２・・・設定入力手段、５３・・・送受信手段、５４・・・制御手段、５３１・・・第１送受信部、５３２・・・第２送受信部、５４２Ａ・・・送信制御部、５４２Ｂ・・・送信先判定部、５４２Ｄ・・・表示制御禁止部、５４４・・・ＲＡＭ（特定装置情報記憶部）、５４５・・・表示制御部。
【図１】
2009213600.tif 000003
【図２】
2009213600.tif 000004
【図３】
2009213600.tif 000005